(57)【特許請求の範囲】
【請求項１】
最も物体側に配置された先玉レンズと、
前記先玉レンズを保持するレンズ保持枠であって、前記先玉レンズの最も物体側のレン
ズ面である第１面よりも物体側に突出した突出部を有するレンズ保持枠と、
前記先玉レンズへの光の入射を制限する絞りであって、前記先玉レンズに支持されて前
記第１面よりも像側に配置された絞りと、を備え、
前記レンズ保持枠は、さらに、前記絞りを支持する支持部であって、前記第１面よりも
像側に形成された支持部を有し、
前記絞りは、前記先玉レンズと前記支持部に支持されて前記第１面よりも像側に配置さ
れる
ことを特徴とする顕微鏡対物レンズ。
【請求項２】
請求項１に記載の顕微鏡対物レンズにおいて、
前記先玉レンズは、像側に凸面を有する第１レンズと物体側に凹面を向けたメニスカス
形状の第２レンズからなる接合レンズである
ことを特徴とする顕微鏡対物レンズ。
【請求項３】
請求項２に記載の顕微鏡対物レンズにおいて、
前記第２レンズは、レンズ面と、前記先玉レンズの輪郭を構成する物体側に向けられた
端面であって少なくとも一部は前記第１面よりも像側に形成された端面と、を有し、
前記絞りは、前記端面に支持される
ことを特徴とする顕微鏡対物レンズ。
【請求項４】
請求項３に記載の顕微鏡対物レンズにおいて、
前記端面は、前記顕微鏡対物レンズの瞳に入射する有効光束が通過しない領域に形成さ
れる
ことを特徴とする顕微鏡対物レンズ。
【請求項５】
請求項２乃至請求項４のいずれか１項に記載の顕微鏡対物レンズにおいて、
前記第１レンズは、物体側に平面を向けた平凸レンズである
ことを特徴とする顕微鏡対物レンズ。
【請求項６】
顕微鏡対物レンズの最も物体側に配置される先玉レンズを、レンズ保持枠の突出部が前
記先玉レンズの最も物体側のレンズ面である第１面よりも物体側に突出し、且つ、絞りを
支持する前記レンズ保持枠の支持部が前記第１面よりも像側に位置するように、前記レン
ズ保持枠に固定し、
前記先玉レンズを前記レンズ保持枠に固定した後に、前記突出部が前記第１面に近づく
ように、前記突出部を加工し、
前記先玉レンズを前記レンズ保持枠に固定した後に、前記先玉レンズへの光の入射を制
限する前記絞りを前記先玉レンズと前記支持部とで支持し前記第１面よりも像側に配置す
る
ことを特徴とする顕微鏡対物レンズの組立方法。
【発明の詳細な説明】
【技術分野】
【０００１】
本発明は、顕微鏡対物レンズ、及び、顕微鏡対物レンズの組立方法に関する。
【背景技術】
【０００２】
顕微鏡対物レンズでは、レンズ保持枠の物体側端面をレンズ面より物体側に突出させる構成が採用されている。これは、物体に最も近い対物レンズの先端部をレンズ保持枠の物体側端面とすることで、対物レンズが観察対象物である物体に衝突した場合でもレンズが直接物体に衝突することがなく、レンズに衝撃が加わることを防止することができるからである。
【０００３】
しかしながら、レンズ保持枠の端面がレンズ面に対して突出するほど、対物レンズの作動距離（以降、単にＷＤと記す）は、光学設計により確定する作動距離（以降、光学設計上のＷＤと記し、前述したＷＤと区別する）に対して短くなってしまう。なお、対物レンズのＷＤは、物体面に焦点を合わせたときの対物レンズの先端から物体面（カバーガラスを使用する場合にはカバーガラス上面）までの距離で定義される。一方、対物レンズの光学設計上のＷＤは、物体面に焦点を合わせたときの対物レンズの最も物体側のレンズ面から物体面までの距離で定義される。
【０００４】
対物レンズのＷＤは、開口数と同様に対物レンズの製品性能の差別化を図る上で重要な要素であるが、光学設計上のＷＤは、対物レンズの開口数（以降、ＮＡ）との間にトレードオフがあり、対物レンズの高ＮＡ化により短くなる傾向にある。このため、レンズ保持枠の端面の突出量を最小限に抑えて、ＷＤを光学設計上のＷＤに可能な限り近づけることが望まれている。
【０００５】
ところで、対物レンズの組立では、レンズ保持枠にレンズを固定した後、レンズ保持枠の端面がレンズ面に対して最低限の突出量で突出するように、レンズ保持枠に設けられている切削代が加工されるものがある。また、特許文献１に記載されるように、先玉埋め込みレンズの平面部分に絞りを貼り付ける場合には、レンズ保持枠の端面が絞りに対して最低限の突出量で突出するように、切削代が加工される。
【先行技術文献】
【特許文献】
【０００６】
【特許文献１】特開２００５−９９１３１号公報
【発明の概要】
【発明が解決しようとする課題】
【０００７】
しかしながら、先玉埋め込みレンズに貼り付けられる絞りは薄いため、貼り付ける際に波打ってしまったり反ってしまったりすることがある。このため、最低限の突出量を実現するための切削量を見極めることが非常に難しく、切削量を少なめに見積もらざるを得ない。その結果、突出量が大きくなり、ＷＤも光学設計上のＷＤに対して必要以上に短くなってしまうことがある。
【０００８】
以上のような実情を踏まえ、本発明では、衝突からレンズを保護しつつ、作動距離を十分に確保し、且つ、不要光を十分に除去する顕微鏡対物レンズ及び顕微鏡対物レンズの組立方法を提供することを目的とする。
【課題を解決するための手段】
【０００９】
本発明の第１の態様は、最も物体側に配置された先玉レンズと、前記先玉レンズを保持
するレンズ保持枠であって、前記先玉レンズの最も物体側のレンズ面である第１面よりも
物体側に突出した突出部を有するレンズ保持枠と、前記先玉レンズへの光の入射を制限す
る絞りであって、前記先玉レンズに支持されて前記第１面よりも像側に配置された絞りと
、を備え、前記レンズ保持枠は、さらに、前記絞りを支持する支持部であって、前記第１
面よりも像側に形成された支持部を有し、前記絞りは、前記先玉レンズと前記支持部に支
持されて前記第１面よりも像側に配置される顕微鏡対物レンズを提供する。
【００１０】
本発明の第２の態様は、第１の態様に記載の顕微鏡対物レンズにおいて、前記先玉レンズは、像側に凸面を有する第１レンズと物体側に凹面を向けたメニスカス形状の第２レンズからなる接合レンズである顕微鏡対物レンズを提供する。
【００１１】
本発明の第３の態様は、第２の態様に記載の顕微鏡対物レンズにおいて、前記第２レンズは、レンズ面と、前記先玉レンズの輪郭を構成する物体側に向けられた端面であって少なくとも一部は前記第１面よりも像側に形成された端面と、を有し、前記絞りは、前記端面に支持される顕微鏡対物レンズを提供する。
【００１２】
本発明の第４の態様は、第３の態様に記載の顕微鏡対物レンズにおいて、前記端面は、前記顕微鏡対物レンズの瞳に入射する有効光束が通過しない領域に形成される顕微鏡対物レンズを提供する。
【００１４】
本発明の第５の態様は、第２の態様乃至第４の態様のいずれか１つに記載の顕微鏡対物
レンズにおいて、前記第１レンズは、物体側に平面を向けた平凸レンズである顕微鏡対物
レンズを提供する。
【００１５】
本発明の第６の態様は、顕微鏡対物レンズの最も物体側に配置される先玉レンズを、レ
ンズ保持枠の突出部が前記先玉レンズの最も物体側のレンズ面である第１面よりも物体側
に突出し、且つ、絞りを支持する前記レンズ保持枠の支持部が前記第１面よりも像側に位
置するように、前記レンズ保持枠に固定し、前記先玉レンズを前記レンズ保持枠に固定し
た後に、前記突出部が前記第１面に近づくように、前記突出部を加工し、前記先玉レンズ
を前記レンズ保持枠に固定した後に、前記先玉レンズへの光の入射を制限する前記絞りを
前記先玉レンズと前記支持部とで支持し前記第１面よりも像側に配置する顕微鏡対物レン
ズの組立方法を提供する。
【発明の効果】
【００１６】
本発明によれば、衝突からレンズを保護しつつ、作動距離を十分に確保し、且つ、不要光を十分に除去する顕微鏡対物レンズ及び顕微鏡対物レンズの組立方法を提供することができる。
【図面の簡単な説明】
【００１７】
【図１】実施例１に係る顕微鏡対物レンズ１０の構成を説明するための図であり、図１（ａ）は、先玉レンズ１１の断面図であり、図１（ｂ）は、先玉レンズ１１とレンズ保持枠１４の断面図であり、図１（ｃ）は、絞り１５近傍の拡大断面図である。
【図２】実施例１に係る顕微鏡対物レンズ１０の組立手順を示すフローチャートである。
【図３】実施例１に係る顕微鏡対物レンズ１０の別の組立手順を示すフローチャートである。
【図４】実施例２に係る顕微鏡対物レンズ２０の構成を説明するための図であり、図４（ａ）は、先玉レンズ２１の断面図であり、図４（ｂ）は、先玉レンズ２１とレンズ保持枠１４の断面図であり、図４（ｃ）は、絞り１５近傍の拡大断面図である。
【図５】実施例３に係る顕微鏡対物レンズ３０の構成を説明するための図であり、図５（ａ）は、先玉レンズ３１の断面図であり、図５（ｂ）は、先玉レンズ３１とレンズ保持枠１４の断面図であり、図５（ｃ）は、絞り１５近傍の拡大断面図である。
【発明を実施するための形態】
【実施例１】
【００１８】
図１は、本実施例に係る対物レンズ１０の構成を説明するための図である。対物レンズ１０は、先玉埋め込みレンズである先玉レンズ１１と、レンズ保持枠１４と、遮光絞りである絞り１５を備え、先玉レンズ１１の物体側の面に、絞り１５を配置した構造を有する顕微鏡対物レンズである。図１（ａ）は、先玉埋め込みレンズである先玉レンズ１１の断面図であり、図１（ｂ）は、先玉レンズ１１とレンズ保持枠１４の断面図であり、図１（ｃ）は、遮光絞りである絞り１５近傍の拡大断面図である。
【００１９】
図１（ａ）に示すように、最も物体側に配置された先玉レンズ１１は、第１レンズ１２と第２レンズ１３からなる接合レンズであり、球の一部をカットした球欠形状に近い形状を有している。第２レンズ１３は、半球面を越える球冠を有する物体側に凹面を向けたメニスカスレンズであり、第２レンズ１３には、異なる屈折率を有し像側に凸面を有する第１レンズ１２が埋め込まれている。第１レンズ１２は、物体側に平面（第１面１２ａ）を向けた平凸レンズである。
【００２０】
第２レンズ１３は、有効光束を屈折させるレンズ面に加えて、先玉レンズ１１の輪郭を構成する物体側に向けられた端面１３ａを有している。端面１３ａは光軸ＡＸと直交する第１面１２ａに対して傾斜しているため、端面１３ａの少なくとも一部は第１面１２ａよりも像側に形成されている。ここで、有効光束とは、対物レンズ１０の瞳に入射する、最軸外光線Ｌと光軸ＡＸの間の領域を通過する光束のことをいう。
【００２１】
端面１３ａは、有効光束が通過しないレンズ部分の一部をカットすることで、有効光束が通過しない領域に形成される。これにより、端面１３ａよりも物体側であって第１面１２ａよりも像側の有効光束が通過しない領域に空間が形成される。絞り１５は、この空間に配置されて、端面１３ａに支持される。即ち、端面１３ａは、絞り１５を支持する支持部として機能する。
【００２２】
なお、対物レンズ１０は高いＮＡを有しているため、先玉レンズ１１の半球を越える領域にも有効光束が通過する。このため、対物レンズ１０では、端面１３ａの傾斜角（光軸ＡＸと直交する面と端面１３ａの間の角度）は１０°程度と小さい。
【００２３】
図１（ｂ）及び図１（ｃ）に示すように、先玉レンズ１１は、対物レンズ１０に設けられたレンズ保持枠１４によって保持されている。レンズ保持枠１４は、先玉レンズ１１の最も物体側のレンズ面である第１面１２ａよりも物体側に突出した端面１４ａと、先玉レンズ１１（第２レンズ１３）に当接する当接部１４ｃと、絞り１５を支持する支持部である平面１４ｄを備えている。レンズ保持枠１４は、例えば、真鍮など、高い加工性、剛性を有する材料からなることが望ましい。
【００２４】
先玉レンズ１１は、第２レンズ１３が接着剤により当接部１４ｃに固定されることで、レンズ保持枠１４に保持される。当接部１４ｃは、有効光束を遮らないように、第２レンズ１３上の領域であって有効光束が通過しない領域に当接する。
【００２５】
端面１４ａは、物体側に突出した切削代１４ｂが切削加工されることにより形成される。より詳細には、端面１４ａは、先玉レンズ１１をレンズ保持枠１４に固定した後に、切削代１４ｂの端部が第１面１２ａ（より厳密には、第１面１２ａが形成されている平面）に近づくように、切削代１４ｂを加工することにより形成される。即ち、切削代１４ｂの物体側の端部は第１面１２ａよりも物体側に突出した突出部であり、加工後においては、端面１４ａが突出部として機能する。
【００２６】
平面１４ｄは、物体側に向けられた平面であり、平面１４ｄ上には、接着剤により絞り１５が貼り付けられる。平面１４ｄは、端面１４ａよりも像側に形成されていて、また、第１面１２ａよりも像側に形成されている。即ち、平面１４ｄは、先玉レンズ１１がレンズ保持枠１４に固定され、絞り１５が平面１４ｄに貼り付けられたときに、絞り１５が第１面１２ａよりも突出しないように、加工前の切削代１４ｂの端部よりも十分に像側に形成されている。
【００２７】
また、平面１４ｄは、先玉レンズ１１がレンズ保持枠１４に固定されているときに、光軸ＡＸと直交する方向に関して、端面１４ａと第１面１２ａの間に位置するように、形成されている。これにより、端面１４ａと第１面１２ａの間に絞り１５の配置に適した有効光束が通過しない空間が形成される。
【００２８】
絞り１５は、物点外から生じた不要光を遮断するために先玉レンズ１１への物体側からの光の入射を制限する遮光絞りである。また、像側から入射した不要光が物体に照射されることを防止する役割も担っている。絞り１５は、光軸ＡＸに沿った方向から見たときに、第１面１２ａの径よりも大きな内径を有する円環形状を有していて、絞り１５の厚さは、例えば、４０μｍ程度である。また、絞り１５の材質は、例えばステンレス鋼（ＳＵＳ）等が使われる。絞り１５は、端面１３ａ及び平面１４ｄに支持されて、第１面１２ａよりも像側で且つ当接部１４ｃよりも物体側に配置されている。より詳細には、絞り１５は、絞り１５の光軸ＡＸから遠い方の端部が接着剤により平面１４ｄに固定され、光軸ＡＸに近い方の端部が接着剤により端面１３ａに固定される。その結果、絞り１５は、第１面１２ａよりも像側にある空間であって、光軸ＡＸと直交する方向に関して端面１４ａと第１面１２ａの間の有効光束が通過しない空間に配置される。なお、絞り１５とレンズ保持枠１４と第２レンズ１３で囲まれた空間は、余った接着剤を逃がすための空間として利用される。
【００２９】
以上のように構成された対物レンズ１０では、絞り１５が第１面１２ａよりも像側に配置されているため、端面１４ａは、第１面１２ａと絞り１５の両方よりも物体側に突出している。このため、対物レンズ１０が物体に衝突する場合には、端面１４ａが物体に衝突し、第１面１２ａや絞り１５が物体に直接衝突することがない。これにより、先玉レンズ１１に衝撃が加わることを確実に防止することができる。
【００３０】
さらに、対物レンズ１０では、絞り１５が第１面１２ａよりも像側に配置されているため、第１面１２ａを基準にして切削代１４ｂの切削量を確定することができる。このため、第１面１２ａに対する端面１４ａの突出量を最小限に抑えることが可能となり、ＷＤが光学設計上のＷＤに対して必要以上に短くなってしまうことを防止することができる。これにより、絞り１５によって不要光を十分に除去しつつ、十分なＷＤを確保することができる。高ＮＡの対物レンズほど光学設計上のＷＤが短くなりやすいことから、対物レンズ１０が高いＮＡの対物レンズである場合に特に効果的である。
【００３１】
従って、対物レンズ１０によれば、衝突からレンズを保護しつつ、作動距離を十分に確保し、且つ、不要光を十分に除去することができる。また、対物レンズ１０では、平面１４ｄを端面１４ａに対して十分に像側に形成することで、絞り１５の厚さについて公差が大きい場合や、貼り付ける際に絞り１５が波打ったり反ったりした場合や、接着剤の厚みにバラツキを生じた場合でも、絞り１５が第１面１２ａよりも物体側に突出することを確実に防止することができる。このため、対物レンズ１０は、個体によらず安定して上記の効果を得ることができる。
【００３２】
さらに、対物レンズ１０では、絞り１５は、先玉レンズ１１からレンズ保持枠１４にまで伸びている。これにより、先玉レンズ１１とレンズ保持枠１４を接着している接着剤が絞り１５によって覆い隠されるため、接着剤への光の入射に起因する散乱光の発生を防止することができる。
【００３３】
図２は、顕微鏡対物レンズ１０の組立手順を示すフローチャートである。図２を参照しながら、対物レンズ１０の組立方法の一例について具体的に説明する。
【００３４】
まず、先玉レンズ１１をレンズ保持枠１４に当接させて、接着剤で固定する（ステップＳ１）。ここでは、切削代１４ｂの物体側の端部が第１面１２ａよりも物体側に突出するように、また、平面１４ｄが第１面１２ａよりも像側に位置するように、先玉レンズ１１に当接部１４ｃを当接させる。そして、先玉レンズ１１とレンズ保持枠１４を接着剤で接着することで、先玉レンズ１１をレンズ保持枠１４に固定する。
【００３５】
次に、レンズ保持枠１４の突出部を加工する（ステップＳ２）。ここでは、突出部である切削代１４ｂの端部が第１面１２ａに近づくように、切削代１４ｂを加工して、端面１４ａを形成する。
【００３６】
最後に、絞り１５を配置して固定する（ステップＳ３）。ここでは、絞り１５を先玉レンズ１１及びレンズ保持枠１４で支持し、第１面１２ａよりも像側に配置して固定する。より詳細には、絞り１５の光軸ＡＸから遠い方の端部を平面１４ｄに配置して接着剤により固定し、光軸ＡＸに近い方の端部を端面１３ａに配置し接着剤により固定する。
【００３７】
図３は、顕微鏡対物レンズ１０の別の組立手順を示すフローチャートである。対物レンズ１０は、図２に示す組立手順の代わりに図３に示す組立手順に従って組み立てられてもよい。なお、図３に示す組立手順は、図２のステップＳ３で行われる作業と同様の作業が、先玉レンズ１１をレンズ保持枠１４に固定する手順の次に行われ（ステップＳ２ａ）、図２のステップＳ２で行われる作業と同様の作業が、それに続いて行われる（ステップＳ３ａ）点が、図２に示す組立手順とは異なっている。
【００３８】
上述したように、対物レンズ１０では、絞り１５が第１面１２ａよりも像側に位置しているため、切削代１４ｂの切削量は、第１面１２ａとの関係で確定する。従って、図２及び図３に示すように、対物レンズ１０の組み立てでは、レンズ保持枠１４に先玉レンズ１１を固定した後であれば、任意のタイミングで突出部を加工することができる。   
【実施例２】
【００３９】
図４は、本実施例に係る対物レンズ２０の構成を説明するための図である。対物レンズ２０は、対物レンズ１０と同様に、先玉埋め込みレンズ（先玉レンズ２１）と、レンズ保持枠１４と、遮光絞りである絞り１５を備え、先玉埋め込みレンズの物体側の面に、絞り１５を配置した構造を有する顕微鏡対物レンズである。図４（ａ）は、先玉埋め込みレンズである先玉レンズ２１の断面図であり、図４（ｂ）は、先玉レンズ２１とレンズ保持枠１４の断面図であり、図４（ｃ）は、絞り１５近傍の拡大断面図である。
【００４０】
対物レンズ２０は、先玉レンズ１１の代わりに先玉レンズ２１を備える点が、対物レンズ１０とは異なっている。なお、先玉レンズ２１は、図４（ａ）に示すように、平凸レンズである第１レンズ２２とメニスカスレンズである第２レンズ２３からなる接合レンズであり、球の一部をカットした球欠形状に近い形状を有している点は、対物レンズ１０の先玉レンズ１１と同様である。また、第２レンズ２３は、有効光束を屈折させるレンズ面に加えて、先玉レンズ（先玉レンズ２１）の輪郭を構成する物体側に向けられた端面（端面２３ａ）を有している点も、対物レンズ１０の第２レンズ１３と同様である。
【００４１】
ただし、第２レンズ２３は、絞り支持部である端面２３ａが第１面２２ａよりも像側に形成された光軸ＡＸと直交する平面であり、第１面２２ａに対して平行である点が、第２レンズ１３とは異なっている。即ち、先玉レンズ２１では、第１面２２ａと端面２３ａの間に段差が形成されている。なお、第１面２２ａと端面２３ａは、光軸ＡＸと平行な面によって接続されている。その他の点は、対物レンズ２０は、対物レンズ１０と同様である。
【００４２】
対物レンズ２０の組み立て手順は、以下の点を除き、対物レンズ１０の組み立て手順と同様である。図２及び図３のステップＳ１において、先玉レンズ２１は、切削代１４ｂの物体側の端部が第１面２２ａよりも物体側に突出するように、また、平面１４ｄが端面２３ａと同一平面上に位置するように、レンズ保持枠１４に固定される。その後、絞り１５は、端面２３ａと平面１４ｄに接着剤で固定される。
【００４３】
対物レンズ２０によっても、対物レンズ１０と同様に、衝突からレンズを保護しつつ、作動距離を十分に確保し、且つ、不要光を十分に除去することができる。また、対物レンズ２０によれば、先玉レンズ２１と絞り１５の接触領域が平面となるため、対物レンズ１０に比べて絞り１５をより確実に固定することができる。
【実施例３】
【００４４】
図５は、本実施例に係る対物レンズ３０の構成を説明するための図である。対物レンズ３０は、対物レンズ１０と同様に、先玉埋め込みレンズ（先玉レンズ３１）と、レンズ保持枠１４と、遮光絞りである絞り１５を備え、先玉埋め込みレンズの物体側の面に、絞り１５を配置した構造を有する顕微鏡対物レンズである。図５（ａ）は、先玉埋め込みレンズである先玉レンズ３１の断面図であり、図５（ｂ）は、先玉レンズ３１とレンズ保持枠１４の断面図であり、図５（ｃ）は、絞り１５近傍の拡大断面図である。
【００４５】
対物レンズ３０は、先玉レンズ２１の代わりに先玉レンズ３１を備える点が、対物レンズ２０とは異なっている。なお、先玉レンズ３１は、第１レンズ３２の第１面３２ａと第２レンズ３３の端面３３ａが光軸ＡＸに対して傾斜した面で接続されている点が、先玉レンズ２１とは異なっている。その他の点は、対物レンズ３０は、対物レンズ２０と同様である。また、対物レンズ３０の組み立て手順は、対物レンズ２０の組み立て手順と同様である。
【００４６】
対物レンズ３０によっても、対物レンズ１０及び対物レンズ２０と同様に、衝突からレンズを保護しつつ、作動距離を十分に確保し、且つ、不要光を十分に除去することができる。また、対物レンズ３０によっても、対物レンズ２０と同様に、先玉レンズ２１と絞り１５の接触領域が平面となるため、絞り１５をより確実に固定することができる。さらに、対物レンズ３０によれば、第１面３２ａと端面３３ａを接続する面が傾斜しているため、絞り１５を第２レンズ３３に配置する際に、絞り１５を端面３３ａ上に案内するガイド面として機能する。このため、絞り１５を容易に所定位置に配置することができる。
【００４７】
上述した各実施例は、発明の理解を容易にするために具体例を示したものであり、本発明はこれらの実施例に限定されるものではない。顕微鏡対物レンズ、及び、顕微鏡対物レンズの組立方法は、特許請求の範囲により規定される本発明の思想を逸脱しない範囲において、さまざまな変形、変更が可能である。この明細書で説明される個別の実施例の文脈におけるいくつかの特徴を組み合わせて単一の実施例としてもよい。
【００４８】
絞り１５が先玉レンズとレンズ保持枠１４の両方に支持される例を示したが、絞り１５は、先玉レンズに支持されていればよく、レンズ保持枠１４に支持されていなくてもよい。即ち、先玉レンズの支持部でのみ絞り１５が支持されていてもよい。
【００４９】
また、絞り１５が接着剤により先玉レンズとレンズ保持枠１４に固定される例を示したが、絞り１５は、他の方法により固定されてもよい。例えば、絞り１５は蒸着により形成されてもよい。
【００５０】
光学設計上のＷＤを長くするためには、先玉レンズは、第１レンズを第２レンズに埋め込んだ接合レンズである埋め込みレンズであることが望ましいが、先玉レンズは埋め込みレンズに限られない。先玉レンズは、例えば、単レンズであってもよい。
【００５１】
また、先玉レンズが平凸レンズからなる第１レンズを含む接合レンズである例を示したが、第１レンズは平凸レンズに限られない。物体側のレンズ面は曲率を有していてもよく、例えば、凹面であってもよい。
【００５２】
なお、レンズ保持枠１４と絞り１５が別体として構成される例を示したが、一定以上の加工精度が得られる場合には、レンズ保持枠１４と絞り１５は一体に形成されても良い。
【符号の説明】
【００５３】
１０、２０、３０        対物レンズ
１１、２１、３１        先玉レンズ
１２、２２、３２        第１レンズ
１２ａ、２２ａ、３２ａ  第１面
１３、２３、３３        第２レンズ
１３ａ、２３ａ、３３ａ  端面
１４                    レンズ保持枠
１４ａ                  端面
１４ｂ                  切削代
１４ｃ                  当接部
１４ｄ                  平面
１５                    絞り
ＡＸ                    光軸
Ｌ                      最軸外光線
【図１】
0006579650.tif 000002
【図２】
0006579650.tif 000003
【図３】
0006579650.tif 000004
【図４】
0006579650.tif 000005
【図５】
0006579650.tif 000006